(57)【要約】  収容箱（１）は、上方が開放された容器状の本体部（８）と、本体部（８）の背面シート（１９）の上縁（２２）に接続され、下方に開放された蓋状の蓋部（９）とから構成され、蓋部（９）が背面シート（１９）の上縁（２２）を中心に回動することで、蓋部（９）が開いた開状態と蓋部（９）が閉じた閉状態とを切替可能である。又、収容箱（１）には、右側面上方折り曲げシート（１７）の上縁（上部折り曲げ線）（３６）の一部に接続され、外方に突出する係止部（３７）が形成され、係止部（３７）は、右側面上方折り曲げシート（１７）の上縁（３６）の平面視中央よりも前方に位置する。このように構成することで、係止力が、係止部が平面視中央に位置する場合に比して大きくなるため、係止状態の安定性が向上する。
2018168892.tif 000002
【特許請求の範囲】
【請求項１】
上方に開放された容器状の本体部（８）と、前記本体部の背面部（１９）の上縁（２２）に接続され、下方に開放された蓋状の蓋部（９）とから構成され、前記蓋部が前記本体部の背面部の上縁を中心に回動することで、前記蓋部が開いた開状態と前記蓋部の一方側面部（２５、４３）が前記本体部の一方側面部（１７、４２、６４）の少なくとも一部を覆うように閉じた閉状態とを切替可能な収容箱（１、５１、７１）であって、
前記本体部の一方側面部の上縁の一部に接続され、外方に突出するように形成された係止部（３７、５７、７７）と、
前記蓋部の一方側面部において、前記閉状態で前記係止部が係止するように形成された被係止部（４５、８５）とを備え、
前記係止部は、前記本体部の一方側面部の上縁の平面視中央よりも前方に位置する、収容箱。
【請求項２】
上方に開放された容器状の本体部（８）と、前記本体部の背面部（１９）の上縁（２２）に接続され、下方に開放された蓋状の蓋部（９）とから構成され、前記蓋部が前記本体部の背面部の上縁を中心に回動することで、前記蓋部が開いた開状態と前記蓋部の一方側面部（２５、４３）が前記本体部の一方側面部（１７、４２、６４）の少なくとも一部を覆うように閉じた閉状態とを切替可能な収容箱（１、５１、７１）であって、
前記本体部の一方側面部の上縁の一部に接続され、外方に突出するように形成された係止部（３７、５７、７７）と、
前記蓋部の一方側面部において、前記閉状態で前記係止部が係止するように形成された被係止部（４５、８５）とを備え、
前記本体部の一方側面部の上縁は、前記本体部の背面部側から正面部（１１）側に向かって下方に傾斜している、収容箱。
【請求項３】
所定形状に展開されたシート体を、正面部（２）、背面部（３）、平面部（４）、底面部（５）、一方側面部（６）及び他方側面部（７）からなる直方体形状に折り曲げて形成される収容箱（１、５１、７１）であって、
前記正面部を覆う正面シート（１１）と、
前記正面シートの一方側縁（１２）に折り曲げ自在に接続され、少なくとも前記一方側面部の一部を覆う一方側面第一後方折り曲げシート（１３）と、
前記正面シートの下縁（１４）に折り曲げ自在に接続され、前記底面部を覆う底面シート（１５）と、
前記底面シートの一方側縁（１６）に折り曲げ自在に接続され、少なくとも前記一方側面第一後方折り曲げシートの外面に固定される一方側面上方折り曲げシート（１７、６４）と、
前記底面シートの後縁（１８）に折り曲げ自在に接続され、前記背面部を覆う背面シート（１９、５４、７４）と、
前記背面シートの一方側縁（２０）に折り曲げ自在に接続され、少なくとも前記一方側面上方折り曲げシートの内面に固定される一方側面前方折り曲げシート（２１）と、
前記背面シートの上縁（２２、５５、７５）に折り曲げ自在に接続され、前記平面部を覆う平面シート（２３、８３）と、
前記平面シートの一方側縁（２４、８４）に折り曲げ自在に接続され、少なくとも前記一方側面上方折り曲げシートの外面の上部を覆う一方側面下方折り曲げシート（２５）と、
前記平面シートの前縁（２６）に折り曲げ自在に接続され、少なくとも前記正面シートの一部を覆う正面下方折り曲げシート（２７、６１）とを備え、
前記一方側面上方折り曲げシートの上縁（３６、６５）又は上部折り曲げ線（３６、６５）の一部に接続され、外方に突出する係止部（３７、５７、７７）が形成され、
前記一方側面下方折り曲げシートには、前記正面下方折り曲げシートが前記正面シートを覆うように閉じた状態において前記係止部が係止する被係止部（４５、８５）が形成され、
前記係止部は、前記一方側面上方折り曲げシートの上縁又は前記上部折り曲げ線の平面視中央よりも前方に位置する、収容箱。
【請求項４】
所定形状に展開されたシート体を、正面部（２）、背面部（３）、平面部（４）、底面部（５）、一方側面部（６）及び他方側面部（７）からなる直方体形状に折り曲げて形成される収容箱（１、５１、７１）であって、
前記正面部を覆う正面シート（１１）と、
前記正面シートの一方側縁（１２）に折り曲げ自在に接続され、少なくとも前記一方側面部の一部を覆う一方側面第一後方折り曲げシート（１３）と、
前記正面シートの下縁（１４）に折り曲げ自在に接続され、前記底面部を覆う底面シート（１５）と、
前記底面シートの一方側縁（１６）に折り曲げ自在に接続され、少なくとも前記一方側面第一後方折り曲げシートの外面に固定される一方側面上方折り曲げシート（１７、６４）と、
前記底面シートの後縁（１８）に折り曲げ自在に接続され、前記背面部を覆う背面シート（１９、５４、７４）と、
前記背面シートの一方側縁（２０）に折り曲げ自在に接続され、少なくとも前記一方側面上方折り曲げシートの内面に固定される一方側面前方折り曲げシート（２１）と、
前記背面シートの上縁（２２、５５、７５）に折り曲げ自在に接続され、前記平面部を覆う平面シート（２３、８３）と、
前記平面シートの一方側縁（２４、８４）に折り曲げ自在に接続され、少なくとも前記一方側面上方折り曲げシートの外面の上部を覆う一方側面下方折り曲げシート（２５）と、
前記平面シートの前縁（２６）に折り曲げ自在に接続され、少なくとも正面シートの一部を覆う正面下方折り曲げシート（２７、６１）とを備え、
前記一方側面上方折り曲げシートの上縁（３６、６５）又は上部折り曲げ線（３６、６５）の一部に接続され、外方に突出する係止部（３７、５７、７７）が形成され、
前記一方側面下方折り曲げシートには、前記正面下方折り曲げシートが前記正面シートを覆うように閉じた状態において前記係止部が係止する被係止部（４５、８５）が形成され、
前記一方側面上方折り曲げシートの上縁又は前記上部折り曲げ線は、前記背面部側から前記正面部側に向かって下方に傾斜している、収容箱。
【請求項５】
前記係止部は、前記一方側面上方折り曲げシートの上縁又は前記上部折り曲げ線の平面視中央よりも前方に位置する、請求項４記載の収容箱。
【請求項６】
前記正面下方折り曲げシートは、前記正面下方折り曲げシートの一方側縁（３０）に折り曲げ自在に接続され、前記一方側面上方折り曲げシートの外面の一部を覆うと共に前記一方側面下方折り曲げシートの内面に固定される一方側面第二後方折り曲げシート（３２、５２、７２）を有し、
前記被係止部は、前記一方側面下方折り曲げシートの内面において前記平面シートの一方側縁と前記一方側面第二後方折り曲げシートの上縁（７３）とに囲われる箇所であって、前記背面部側から前記正面部側に向かって先細りに延びる、請求項３から請求項５のいずれかに記載の収容箱。
【発明の詳細な説明】
【技術分野】
【０００１】
この発明は収容箱に関し、特に、開状態と閉状態とを切替可能な収容箱に関するものである。
【背景技術】
【０００２】
従来、上方が開放された容器状の本体部と、本体部の一端縁に接続され、下方に開放された蓋状の蓋部とから構成され、蓋部が当該一端縁を中心に回動することで、蓋部が開いた開状態と蓋部が閉じた閉状態とを切替可能な収容箱が存在する。【０００３】
例えば日本国特開２０１３−６３７８５号公報には、閉状態において直方体形状となる巻筒体包装容器であって、側板に連接する折込み片とこれに連接する係合突起を有し、係合突起は側板の平面視中央位置に設けられており、蓋体（蓋部）を閉じたときにその内側に備える係合部に係合するものが開示されている。係合部は、蓋体を閉じたときに蓋体内部の側蓋板と補助側蓋板とが重なることで板厚みにより形成されるものである。これによって、閉状態において蓋体が係止力を有する。【０００４】
又、日本国特開２０１５−１９９５０７号公報には、側面板の前面板側の高さを背面板側の高さよりも低くして、側面板の上縁を傾斜させたシート包装箱が開示されている。これによって、蓋体（蓋部）を閉じた際に懸垂板を強く前面板に押しつけ、該懸垂板の先端縁の内側に取り付けられた切断刃の先端を引き出したシートに強く押しつけることができるものである。
【先行技術文献】
【特許文献】
【０００５】
【特許文献１】日本国特開２０１３−６３７８５号公報
【特許文献２】日本国特開２０１５−１９９５０７号公報
【０００６】
しかしながら、上記の日本国特開２０１３−６３７８５号公報に開示されたような従来の収容箱では、係合部が板厚みにより生じさせた段差部分に過ぎないため、係合突起と係合部との係合による係止力が微弱となり、蓋体が不用意に開いてしまう虞があった。【０００７】
又、係合部の閉状態における上下方向幅が係合突起の厚さに対して余裕を持たせて設計されているため、係合突起ひいては係合突起が形成されている収容箱の蓋部の上下可動範囲が広く、閉状態においても蓋体が若干開いた状態となってしまう虞があった。【０００８】
このような蓋体が開いた状態で収容物を保管すると、塵埃や異物の混入の虞がある等、収容物の種類によっては収容箱として不良になりかねない。【０００９】
尚、収容物が上記日本国特開２０１３−６３７８５号公報、日本国特開２０１５−１９９５０７号公報に開示されているような食品包装用ラップフィルムやアルミホイル箔といった巻筒体である場合は、そのサイズを基にして収容箱のサイズも決定されている場合が多い。このような場合には特に、基本的な全体構造を変更することなく係止力を向上させた収容箱が待望されている。【００１０】
この発明は、上記のような課題を解決するためになされたもので、閉状態における蓋部の係止力が向上した収容箱を提供することを目的とする。
【発明の開示】
【００１１】
上記の目的を達成するために、この発明の第１の局面における収容箱は、上方に開放された容器状の本体部と、本体部の背面部の上縁に接続され、下方に開放された蓋状の蓋部とから構成され、蓋部が本体部の背面部の上縁を中心に回動することで、蓋部が開いた開状態と蓋部の一方側面部が本体部の一方側面部の少なくとも一部を覆うように閉じた閉状態とを切替可能な収容箱であって、本体部の一方側面部の上縁の一部に接続され、外方に突出するように形成された係止部と、蓋部の一方側面部において、閉状態で係止部が係止するように形成された被係止部とを備え、係止部は、本体部の一方側面部の上縁の平面視中央よりも前方に位置するものである。
【００１２】
このように構成すると、収容箱が閉状態から開状態に移行する際に係止状態が解除されるために必要な力が、係止部が平面視中央に位置する場合に比して大きくなる。
【００１３】
この発明の第２の局面における収容箱は、上方に開放された容器状の本体部と、本体部の背面部の上縁に接続され、下方に開放された蓋状の蓋部とから構成され、蓋部が本体部の背面部の上縁を中心に回動することで、蓋部が開いた開状態と蓋部の一方側面部が本体部の一方側面部の少なくとも一部を覆うように閉じた閉状態とを切替可能な収容箱であって、本体部の一方側面部の上縁の一部に接続され、外方に突出するように形成された係止部と、蓋部の一方側面部において、閉状態で係止部が係止するように形成された被係止部とを備え、本体部の一方側面部の上縁は、本体部の背面部側から正面部側に向かって下方に傾斜しているものである。
【００１４】
このように構成すると、収容箱が閉状態から開状態に移行する際に係止状態が解除されるために必要な力が、一方側面部の上縁がその下縁と平行である場合に比して大きくなる。
【００１５】
この発明の第３の局面における収容箱は、所定形状に展開されたシート体を、正面部、背面部、平面部、底面部、一方側面部及び他方側面部からなる直方体形状に折り曲げて形成される収容箱であって、正面部を覆う正面シートと、正面シートの一方側縁に折り曲げ自在に接続され、少なくとも一方側面部の一部を覆う一方側面第一後方折り曲げシートと、正面シートの下縁に折り曲げ自在に接続され、底面部を覆う底面シートと、底面シートの一方側縁に折り曲げ自在に接続され、少なくとも一方側面第一後方折り曲げシートの外面に固定される一方側面上方折り曲げシートと、底面シートの後縁に折り曲げ自在に接続され、背面部を覆う背面シートと、背面シートの一方側縁に折り曲げ自在に接続され、少なくとも一方側面上方折り曲げシートの内面に固定される一方側面前方折り曲げシートと、背面シートの上縁に折り曲げ自在に接続され、平面部を覆う平面シートと、平面シートの一方側縁に折り曲げ自在に接続され、少なくとも一方側面上方折り曲げシートの外面の上部を覆う一方側面下方折り曲げシートと、平面シートの前縁に折り曲げ自在に接続され、少なくとも正面シートの一部を覆う正面下方折り曲げシートとを備え、一方側面上方折り曲げシートの上縁又は上部折り曲げ線の一部に接続され、外方に突出する係止部が形成され、一方側面下方折り曲げシートには、正面下方折り曲げシートが正面シートを覆うように閉じた状態において係止部が係止する被係止部が形成され、係止部は、一方側面上方折り曲げシートの上縁又は上部折り曲げ線の平面視中央よりも前方に位置するものである。
【００１６】
このように構成すると、収容箱が閉状態から開状態に移行する際に係止状態が解除されるために必要な力が、係止部が平面視中央に位置する場合に比して大きくなる。
【００１７】
この発明の第４の局面における収容箱は、所定形状に展開されたシート体を、正面部、背面部、平面部、底面部、一方側面部及び他方側面部からなる直方体形状に折り曲げて形成される収容箱であって、正面部を覆う正面シートと、正面シートの一方側縁に折り曲げ自在に接続され、少なくとも一方側面部の一部を覆う一方側面第一後方折り曲げシートと、正面シートの下縁に折り曲げ自在に接続され、底面部を覆う底面シートと、底面シートの一方側縁に折り曲げ自在に接続され、少なくとも一方側面第一後方折り曲げシートの外面に固定される一方側面上方折り曲げシートと、底面シートの後縁に折り曲げ自在に接続され、背面部を覆う背面シートと、背面シートの一方側縁に折り曲げ自在に接続され、少なくとも一方側面上方折り曲げシートの内面に固定される一方側面前方折り曲げシートと、背面シートの上縁に折り曲げ自在に接続され、平面部を覆う平面シートと、平面シートの一方側縁に折り曲げ自在に接続され、少なくとも一方側面上方折り曲げシートの外面の上部を覆う一方側面下方折り曲げシートと、平面シートの前縁に折り曲げ自在に接続され、少なくとも正面シートの一部を覆う正面下方折り曲げシートとを備え、一方側面上方折り曲げシートの上縁又は上部折り曲げ線の一部に接続され、外方に突出する係止部が形成され、一方側面下方折り曲げシートには、正面下方折り曲げシートが正面シートを覆うように閉じた状態において係止部が係止する被係止部が形成され、一方側面上方折り曲げシートの上縁又は上部折り曲げ線は、背面部側から正面部側に向かって下方に傾斜しているものである。
【００１８】
このように構成すると、収容箱が閉状態から開状態に移行する際に係止状態が解除されるために必要な力が、一方側面上方折り曲げシートの上縁がその下縁と平行である場合に比して大きくなる。
【００１９】
この発明の第５の局面における収容箱は、第４の局面における発明の構成において、係止部は、一方側面上方折り曲げシートの上縁又は上部折り曲げ線の平面視中央よりも前方に位置するものである。
【００２０】
このように構成すると、収容箱が閉状態から開状態に移行する際に係止状態が解除されるために必要な力が、係止部が平面視中央に位置する場合や一方側面上方折り曲げシートの上縁がその下縁と平行である場合に比して大きくなる。
【００２１】
この発明の第６の局面における収容箱は、第３の局面から第５の局面のいずれかにおける発明の構成において、正面下方折り曲げシートは、正面下方折り曲げシートの一方側縁に折り曲げ自在に接続され、一方側面上方折り曲げシートの外面の一部を覆うと共に一方側面下方折り曲げシートの内面に固定される一方側面第二後方折り曲げシートを有し、被係止部は、一方側面下方折り曲げシートの内面において平面シートの一方側縁と一方側面第二後方折り曲げシートの上縁とに囲われる箇所であって、背面部側から正面部側に向かって先細りに延びるものである。
【００２２】
このように構成すると、係止部が前方に位置するにつれて、係止部が形成されている蓋部の閉状態における上下可動範囲が狭くなる。
【００２３】
以上説明したように、この発明の第１の局面における収容箱は、収容箱が閉状態から開状態に移行する際に係止状態が解除されるために必要な力が、係止部が平面視中央に位置する場合に比して大きくなるため、係止状態の安定性が向上する。
【００２４】
この発明の第２の局面における収容箱は、収容箱が閉状態から開状態に移行する際に係止状態が解除されるために必要な力が、一方側面部の上縁がその下縁と平行である場合に比して大きくなるため、係止状態の安定性が向上する。
【００２５】
この発明の第３の局面における収容箱は、収容箱が閉状態から開状態に移行する際に係止状態が解除されるために必要な力が、係止部が平面視中央に位置する場合に比して大きくなるため、係止状態の安定性が向上する。
【００２６】
この発明の第４の局面における収容箱は、収容箱が閉状態から開状態に移行する際に係止状態が解除されるために必要な力が、一方側面上方折り曲げシートの上縁がその下縁と平行である場合に比して大きくなるため、係止状態の安定性が向上する。
【００２７】
この発明の第５の局面における収容箱は、第４の局面における発明の効果に加えて、収容箱が閉状態から開状態に移行する際に係止状態が解除されるために必要な力が、係止部が平面視中央に位置する場合や一方側面上方折り曲げシートの上縁がその下縁と平行である場合に比して大きくなるため、係止状態の安定性が更に向上する。
【００２８】
この発明の第６の局面における収容箱は、第３の局面から第５の局面のいずれかにおける発明の効果に加えて、係止部が前方に位置するにつれて、係止部が形成されている蓋部の閉状態における上下可動範囲が狭くなるため、収容箱の閉状態の安定性を制御することができる。
【図面の簡単な説明】
【００２９】
【図１】この発明の第１の実施の形態による収容箱の閉状態の外観形状を示す概略斜視図であって、除去部分を切り取る前のものである。
【図２】図１で示した収容箱の開状態の外観形状を示す概略斜視図であって、除去部分を切り取った後のものである。
【図３】図１で示した収容箱を展開したシート体の構造を示す展開図である。
【図４】図１で示したＩＶ−ＩＶラインの拡大概略断面図である。
【図５】従来の収容箱の右側面視における係止部の係止状態を示す模式図である。
【図６】この発明の第１の実施の形態による収容箱の右側面視における係止部の係止状態を示す模式図である。
【図７】この発明の第２の実施の形態による収容箱の右側面視における係止部の係止状態を示す模式図である。
【図８】この発明の第３の実施の形態による収容箱の右側面視における係止部の係止状態を示す模式図である。
【発明を実施するための形態】
【００３０】
図１はこの発明の第１の実施の形態による収容箱の閉状態の外観形状を示す概略斜視図であって、除去部分を切り取る前のものであり、図２は図１で示した収容箱の開状態の外観形状を示す概略斜視図であって、除去部分を切り取った後のものであり、図３は図１で示した収容箱を展開したシート体の構造を示す展開図である。
【００３１】
これらの図を参照して、収容箱１は、主に紙を素材としてなり、上方が開放され開口が形成された容器状の本体部８と、本体部８の背面シート１９の上縁２２に接続され、下方に開放された蓋状の蓋部９とから構成されている。又、収容箱１は、図３に示すような所定形状に原紙から打ち抜かれてなる展開された形状のシート体を、図１に示すような正面部２、背面部３、平面部４、底面部５、右側面部６（一方側面部）及び左側面部７（他方側面部）からなる直方体形状に折り曲げて形成される。
【００３２】
尚、本明細書において、前方又は後方とは、図１に示すような閉状態の収容箱を基準とした前方（背面部側から正面部側に対する方向）又は後方（正面部側から背面部側に対する方向）をいう。又、同様に上方又は下方とは、図１に示すような閉状態の収容箱を基準とした上方（底面部側から平面部側に対する方向）又は下方（平面部側から底面部側に対する方向）をいう。更に、右方又は左方とは、図１に示すような閉状態の収容箱を基準とした一方側面部から他方側面部に対する方向又はその逆方向をいい、一方とは右であっても左であっても良く、他方はその逆に対応する。更に、内方とは、収容箱の外部から内部に対する方向をいい、外方はその逆である。
【００３３】
そして、収容箱１は、正面部２を覆う正面シート１１と、正面シート１１の右側縁１２（一方側縁）に折り曲げ自在に接続され、右側面部６の一部を覆う右側面第一後方折り曲げシート１３（一方側面第一後方折り曲げシート）と、正面シート１１の下縁１４に折り曲げ自在に接続され、底面部５を覆う底面シート１５と、底面シート１５の右側縁１６（一方側縁）に折り曲げ自在に接続され、右側面第一後方折り曲げシート１３の外面に固定される右側面上方折り曲げシート１７（一方側面上方折り曲げシート）と、底面シート１５の後縁１８に折り曲げ自在に接続され、背面部３を覆う背面シート１９と、背面シート１９の右側縁２０（一方側縁）に折り曲げ自在に接続され、右側面上方折り曲げシート１７の内面に固定される右側面前方折り曲げシート２１（一方側面前方折り曲げシート）と、背面シート１９の上縁２２に折り曲げ自在に接続され、平面部４を覆う平面シート２３と、平面シート２３の右側縁２４（一方側縁）に折り曲げ自在に接続され、右側面上方折り曲げシート１７の外面の上部を覆う右側面下方折り曲げシート２５（一方側面下方折り曲げシート）と、平面シート２３の前縁２６に折り曲げ自在に接続され、正面シート１１の一部を覆う正面下方折り曲げシート２７とから主に構成されている。
【００３４】
又、右側面上方折り曲げシート１７には、右側面上方折り曲げシート１７の上縁（ミシン目による上部折り曲げ線）３６の一部に後述するフラップ３８を介して接続され、外方に突出する係止部３７が形成されている。ミシン目による上部折り曲げ線は、係止部３７となる部分を除いて形成されており、これに沿って係止部３７以外の部分を折り曲げることにより、収容箱１において外方に突出する係止部３７が形成される。そして、係止部３７は、右側面上方折り曲げシート１７の上縁３６の平面視中央よりも前方に位置する。尚、平面視中央とは、平面視において右側面上方折り曲げシート１７の背面部３側縁からこれと平行な正面部２側縁にかけての最短距離の中央位置をいう。
【００３５】
更に、右側面上方折り曲げシート１７には、右側面上方折り曲げシート１７の上縁３６に折り曲げ自在に接続され、本体部８の開口の一部を覆うように平面視において半円が後方に偏心した形状のフラップ３８が形成されている。より具体的には、フラップ３８は、右側面上方折り曲げシート１７の上縁（上部折り曲げ線）３６の正面部２側の端部３４から延び始め、平面視中央より後方の一定区間までは正面部２側から背面部３側に向かうほど幅広となり、一定区間を過ぎ背面部３側に向かうまでは上記一定区間の幅広具合に比して急激に幅狭となり、右側面上方折り曲げシート１７の上縁３６の背面部３側の端部３５に収束する形状を有している。
【００３６】
係止部３７やフラップ３８をこのように構成することによる効果については後述する。
【００３７】
又、正面下方折り曲げシート２７は、平面シート２３の前縁２６と略平行に形成された切断自在のミシン目３１を境界として上方の残存部分２８と除去部分２９とに分けられている。又、正面下方折り曲げシート２７は、正面下方折り曲げシート２７の残存部分２８の右側縁３０（一方側縁）に折り曲げ自在に接続され、右側面上方折り曲げシート１７の外面の一部を覆うと共に右側面下方折り曲げシート２５の内面に固定される右側面第二後方折り曲げシート３２（一方側面第二後方折り曲げシート）を有する。
【００３８】
尚、右側面第一後方折り曲げシート１３、右側面上方折り曲げシート１７、係止部３７、フラップ３８、右側面前方折り曲げシート２１、右側面下方折り曲げシート２５及び右側面第二後方折り曲げシート３２は、収容箱１の左側面部７（他方側面部）にも同様に備えられている。
【００３９】
又、除去部分２９の内面は、正面シート１１の外面の左右方向に一定間隔に形成された複数の糊付け部４０を接着面として、正面シート１１の外面に固定されている。
【００４０】
以上のように、収容箱１は、図１に示す閉状態では特定のシート体が右側面部６及び左側面部７を覆うように固定されていると共に、除去部分２９が正面シート１１に固定されている。収容箱１は、流通段階では、閉状態であって除去部分２９が切り取られていない状態で主に取り扱われる。
【００４１】
又、収容箱１の最初の使用時には、ミシン目３１に沿って除去部分２９を切り取ることで正面部２の固定状態が解除され、図２に示す開状態に移行可能となる。即ち、収容箱１は、主に正面シート１１、底面シート１５、右側面上方折り曲げシート１７、左側面上方折り曲げシート４２及び背面シート１９からなる上方が開放され開口が形成された容器状の本体部８と、本体部８の背面シート１９の上縁２２に接続され、主に平面シート２３、右側面下方折り曲げシート２５、左側面下方折り曲げシート４３及び正面下方折り曲げシート２７（残存部分２８）からなる下方に開放された蓋状の蓋部９とから構成され、蓋部９が背面シート１９の上縁２２を中心に回動することで、蓋部９が開いた開状態（図２）と蓋部９が閉じた閉状態（図１）とを切替可能である。
【００４２】
そして、除去部分２９を切り取った後の収容箱１にあっても、閉状態において（即ち、正面下方折り曲げシート２７が正面シート１１を覆うように閉じた状態において）、上述した係止部３７が後述する被係止部に係止することにより、蓋部９が本体部８に対して係止力を発揮し、閉状態においては不用意に開くことを防止している。この係止部と被係止部との係止状態について以下説明する。
【００４３】
図４は図１で示したＩＶ−ＩＶラインの拡大概略断面図である。
【００４４】
上述した図２及び図４を併せて参照して、被係止部４５は、右側面下方折り曲げシート２５の内面において平面シート２３の右側縁２４と右側面下方折り曲げシート２５の上縁４８との接続部分４９と、右側面第二後方折り曲げシート３２の上縁３３とに囲われる箇所である。
【００４５】
上述したように、右側面上方折り曲げシート１７の上縁３６の一部に接続され、外方に突出する係止部３７は、閉状態において被係止部４５に係止している。そのため、収容箱１が閉状態から開状態に移行する際に蓋部９が上方に回動しようとすると、係止部３７が右側面第二後方折り曲げシート３２の上縁３３に接触し、右側面第二後方折り曲げシート３２は接着剤等により右側面下方折り曲げシート２５の内面に固定されているため蓋部９の上方への回動に対して抵抗する。この蓋部９を上方へ回動させる力が所定量となるまでは係止部３７は被係止部４５（右側面第二後方折り曲げシート３２の上縁３３）に係止した係止状態が維持されるが、更に蓋部９を上方へ回動させる力を加え続けると、右側面第二後方折り曲げシート３２及び係止部３７は主に紙からなるため、やがて変形し右側面第二後方折り曲げシート３２は係止部３７を越え、係止状態が解除される。このような、閉状態から開状態に移行させる際に蓋部９を上方に回動させるとき、右側面第二後方折り曲げシート３２が係止部３７を越えるための力が、係止状態が解除されるために必要な力である係止力となる。
【００４６】
尚、上述した蓋部９の動きとは逆に、蓋部９を下方に回動させ右側面第二後方折り曲げシート３２が係止部３７を越える力を加えることで、収容箱１の開状態から閉状態に移行させることができる。
【００４７】
ここで、上述したように、係止部３７は、右側面上方折り曲げシート１７の上縁３６の平面視中央よりも前方（重心が正面部２側寄り）に位置するものである。このように構成することによる効果について以下説明する。
【００４８】
図５は従来の収容箱の右側面視における係止部の係止状態を示す模式図であり、図６はこの発明の第１の実施の形態による収容箱の右側面視における係止部の係止状態を示す模式図である。
【００４９】
尚、これらの図は係止状態の係止力を表現するためのものであるため、係止部を除いて各シート体の厚さを無視して模式的に描写している。
【００５０】
まず図５を参照して、上述した日本国特開２０１３−６３７８５号公報に開示されているような従来の収容箱９１にあっては、係止部９７が平面視中央に水平に位置する。尚、係止部９７やこれに付随する図示しないフラップ等を除き、基本的な構造は上述した収容箱１と同様である。
【００５１】
図に示す閉状態から開状態に移行するために、蓋部９９の正面下方折り曲げシート１０１の上縁１０２を持ち背面シート９４の上縁９５を中心として上方に回動させようとすると、係止部９７が、上方に移動しようとする右側面第二後方折り曲げシート９２に接触する。
【００５２】
このような係止状態が解除されるために蓋部９９に上向きにかかる力をＷ１と、又、正面下方折り曲げシート１０１の上縁１０２から背面シート９４の上縁９５までの距離をＬと、更に、上方に回動する力のモーメントをＭ１とおくと、次式が成り立つ。
【００５３】
Ｍ１＝Ｗ１・Ｌ    
又、係止状態が維持されるために係止部９７に下向きにかかる力をＦと、又、係止部９７の重心から背面シート９４までの水平距離をＬ１とおくと、係止状態が維持され上方に回動する力のモーメントと下方に回動を抑制するように作用する力のモーメントが釣り合うとき、次式＜１＞が成り立つ。
【００５４】
Ｍ１＝Ｗ１・Ｌ＝Ｆ・Ｌ１      ・・・＜１＞
換言すると、Ｗ１・Ｌ＞Ｆ・Ｌ１となるとき、係止状態が解除され蓋部９９は開くこととなる。
【００５５】
次に、図６を参照して、この発明の第１の実施の形態による収容箱１にあっては、上述した収容箱９１の場合と同様に、係止状態が解除されるために蓋部９に上向きにかかる力をＷ２とおくと、正面下方折り曲げシート２７の上縁３９から背面シート１９の上縁２２までの距離は同様にＬであり、又、上方に回動する力のモーメントをＭ２とおくと、次式が成り立つ。
【００５６】
Ｍ２＝Ｗ２・Ｌ
又、係止部３７において係止状態が維持されるために下向きにかかる力は同様にＦであり、係止部３７の重心から背面シート１９までの水平距離をＬ２とおくと、係止状態が維持され上方に回動する力のモーメントと下方に回動する力のモーメントが釣り合うとき、次式＜２＞が成り立つ。
【００５７】
Ｍ２＝Ｗ２・Ｌ＝Ｆ・Ｌ２      ・・・＜２＞
ここで、係止部３７は平面視中央よりも前方に位置するため、係止部の重心から背面シートまでの距離は上述した従来の場合より長くなり、Ｌ２＞Ｌ１となる。
【００５８】
即ち、Ｆ・Ｌ２＞Ｆ・Ｌ１となることから、式＜１＞及び式＜２＞より、係止状態が維持されるために必要な力を比較すると、Ｗ２・Ｌ＞Ｗ１・Ｌとなる。
【００５９】
そのため、係止状態が維持されるために必要な力の上限（即ち、係止状態が解除されるために必要な力）については、Ｗ２＞Ｗ１となる。
【００６０】
即ち、この発明の第１の実施の形態による収容箱１にあっては、閉状態から開状態に移行する際に蓋部が上方に回動しようとするとき、係止状態が解除されるために必要な力（Ｗ２）が、係止部が平面視中央に位置する場合のもの（Ｗ１）に比して大きくなる。そのため、係止状態の安定性が向上する。
【００６１】
次に、この発明の第２の実施の形態による収容箱について説明する。
【００６２】
図７はこの発明の第２の実施の形態による収容箱の右側面視における係止部の係止状態を示す模式図である。
【００６３】
尚、この収容箱５１の基本的な構造は上述したこの発明の第１の実施の形態による収容箱１と同様であるので相違点を中心に説明する。
【００６４】
図７を参照して、収容箱５１の右側面上方折り曲げシート６４の上縁６５は、背面部側から正面部側に向かって下方に傾斜している。そのため、右側面上方折り曲げシート６４の上縁６５の一部に接続され、外方に突出する係止部５７も、同様に背面部側から正面部側に向かって下方に傾斜している。尚、係止部５７の重心から背面シート５４までの水平距離は従来の収容箱９１と同様にＬ１である。又、開状態に移行する際に係止部５７に接触することとなる右側面第二後方折り曲げシート５２も、同様にその上縁５３が背面部側から正面部側に向かって下方に傾斜している。換言すると、右側面第二後方折り曲げシート５２の上縁５３や係止部５７は前傾している。
【００６５】
この収容箱５１にあっては、上述した収容箱９１の場合と同様に、係止状態が解除されるために蓋部５９に上向きにかかる力をＷ３とおくと、正面下方折り曲げシート６１の上縁６２から背面シート５４の上縁５５までの距離は同様にＬであり、上方に回動する力のモーメントをＭ３とおくと、次式が成り立つ。
【００６６】
Ｍ３＝Ｗ３・Ｌ
又、係止部５７において係止状態を維持するために係止部５７の前傾に対して垂直下方にかかる力は同様にＦであり、係止部５７の重心から背面シート５４までの、係止部５７の傾斜に対応した距離をＬ３とおくと、係止状態が維持され上方に回動する力のモーメントと下方に回動する力のモーメントが釣り合うとき、次式＜３＞が成り立つ。
【００６７】
Ｍ３＝Ｗ３・Ｌ＝Ｆ・Ｌ３      ・・・＜３＞
ここで、係止部５７は前傾しているため、上述したＬ１が係止部の重心から背面シートまでの水平距離だったのに対し、本実施の形態のＬ３は係止部の重心から背面シートの上縁までの斜めの距離となるため、Ｌ３＞Ｌ１となる。
【００６８】
即ち、Ｆ・Ｌ３＞Ｆ・Ｌ１となることから、式＜１＞及び式＜３＞より、係止状態が維持されるために必要な力を比較すると、Ｗ３・Ｌ＞Ｗ１・Ｌとなる。
【００６９】
そのため、係止状態が維持されるために必要な力の上限（即ち、係止状態が解除されるために必要な力）については、Ｗ３＞Ｗ１となる。
【００７０】
即ち、この発明の第２の実施の形態による収容箱５１にあっては、閉状態から開状態に移行する際に蓋部が上方に回動しようとするとき、係止状態が解除されるために必要な力（Ｗ３）が、係止部が平面視中央に水平に位置する場合のもの（Ｗ１）に比して大きくなる。そのため、係止状態の安定性が向上する。
【００７１】
次に、この発明の第３の実施の形態による収容箱について説明する。
【００７２】
図８はこの発明の第３の実施の形態による収容箱の右側面視における係止部の係止状態を示す模式図である。
【００７３】
尚、この収容箱７１の基本的な構造は上述したこの発明の第２の実施の形態による収容箱５１と同様であるので相違点を中心に説明する。
【００７４】
収容箱７１にあっては、右側面第二後方折り曲げシート７２が、その上縁７３が正面部側から背面部側に向かって下方に傾斜する（即ち、後傾する）ように構成されている。
【００７５】
この収容箱７１にあっても、係止部７７が前傾していることは上述した第２の実施の形態による収容箱５１と同様であるので、係止部７７の係止状態に係る各構成要素の位置関係については殆ど同様であり、係止部７７と右側面第二後方折り曲げシート７２との接触箇所がわずかに前方に変更されるに過ぎない。従って、係止部７７の重心から背面シート７４までの、係止部５７の傾斜に対応した距離Ｌ４は上述した第２の実施の形態におけるＬ３と同一となる（あるいはわずかに長くなる）。そのため、係止状態が解除されるために蓋部７９に上向きにかかる力Ｗ４は上述した第２の実施の形態におけるＷ３と同一となる（あるいはわずかに大きくなる）。
【００７６】
即ち、この発明の第３の実施の形態による収容箱７１にあっては、上述した第２の実施の形態による収容箱５１と同様に、閉状態から開状態に移行する際に蓋部が上方に回動しようとするとき、係止状態が解除されるために必要な力（Ｗ４）が、係止部が平面視中央に水平に位置する場合のもの（Ｗ１）に比して大きくなる。そのため、係止状態の安定性が向上する。
【００７７】
又、収容箱７１にあっては、被係止部８５は、図の二点鎖線で囲って示すように、右側面下方折り曲げシート（図示せず）の内面において平面シート８３の右側縁８４と右側面第二後方折り曲げシート７２の上縁７３とに囲われる箇所であって、背面部側から正面部側に向かって先細りに延びるものである。
【００７８】
このように構成することで、係止部が前方に位置するにつれて、係止部が形成されている蓋部の閉状態における上下可動範囲が狭くなる。例えば、係止部７７が図示されるように平面視中央位置にあるときの蓋部７９の閉状態における上下可動範囲は図のＤ１の長さに対応する範囲であり、係止部７７が平面視中央より前方に位置するときの上記上下可動範囲は図のＤ２の長さに対応する範囲であり、上記Ｄ１の長さに対応する範囲より狭いものである。ここで、蓋部７９の閉状態における上下可動範囲が相対的に狭い場合は、収容箱７１の閉状態において蓋部７９が若干開いた状態となってしまう虞が減少する。これとは逆に、係止部７７がより後方に位置しており上記上下可動範囲が相対的に広い場合は、収容箱７１を開状態から閉状態に移行させるために必要な蓋部７９を下方に押し込む距離（角度）を減少させることができ、主に紙からなる蓋部７９の形状が潰れた状態で固定されてしまう事態（背面シート７４の上縁７５に曲がり癖が付いてしまうこと）を防止し、保形性を向上させることができる。即ち、収容箱７１は、係止部７７の位置を前後方向に調整することで、収容箱７１の蓋部７９の上下可動範囲を所望の範囲とすることができ、収容箱７１の閉状態の安定性を制御することができる。
【００７９】
このように、本発明の収容箱は、係止部の係止状態におけるモーメントを調整するという新規な着想に基づいて、従来の収容箱から基本的な全体構造を変更することなく係止力を向上させることに成功したものである。
【００８０】
ここで、本発明の収容箱が備えるフラップについて、第１の実施の形態の収容箱１を用いて説明する。
【００８１】
戻って図２及び図３を参照して、上述したように、右側面上方折り曲げシート１７には、右側面上方折り曲げシート１７の上縁３６に折り曲げ自在に接続され、平面部４の一部を覆うように平面視において半円が後方（背面部３側）に偏心した形状のフラップ３８が形成されている。フラップ３８の基本的な機能としては、例えば図示しない収容物が薄膜体からなる巻筒体であって該薄膜体を収容箱１外部に引き出して使用する場合に、巻筒体全体が収容箱１外部に抜け出てしまうことを防止するものである。即ち、収容物の浮き上がりを抑制するものである。
【００８２】
ここで、従来のフラップは、日本国特開２０１３−６３７８５号公報に開示されているように、平面視中央位置に形成された係止部（係合突起）に対応して平面視略矩形状のフラップ（折込み片）も平面視中央位置において内方に延び、平面部の一部を覆うように形成されていた。しかしながら、上述した第１の実施の形態の収容箱１のように、係止部３７が平面視中央より前方に位置する場合であって、係止部３７に対応して平面視略矩形状のフラップを平面視中央より前方に位置させたときには、収容物が収容箱に対応した大きさの上記巻筒体である場合には、収容箱の開状態において引き出した薄膜体がフラップに引っ掛かりスムーズな引き出しが阻害される虞があった。
【００８３】
これに対し、本発明に係る収容箱１のフラップ３８にあっては、平面視において半円が後方に偏心した形状であるため、正面部２側でフラップ３８が正面シート１１と接することがなく、上述した薄膜体のスムーズな引き出しが阻害される虞が減少したものである。又、背面部３側でもフラップ３８が内方に突出する度合いが大きくなることにより、収容物の浮き上がりがより抑制されたものである。
【００８４】
尚、上述した各実施の形態では、収容箱及びこれを構成する各シートが特定の形状であったが、他の形状であっても良い。即ち、用途や収容物の形状に応じて収容箱の全体形状を変更しても良く、例えば立方体形状や、縁が湾曲線状のものや、切欠が形成されているもの等も本発明の収容箱に含まれる。又、特定面の一部を覆ったり一部に固定されたりしていた各シートの形状もこれに限定されず、例えば特定面の全部を覆ったり他の面にも重複して固定されるように構成しても良い。
【００８５】
又、図３に示したような展開図は本発明の収容箱の展開図の一例であり、このように展開することが可能な収容箱であれば良く、他の展開方法を採用した形状のシート体からなるものも本発明の収容箱に含まれる。例えば上述した各実施の形態では、右側面上方折り曲げシートは底面シートの右側縁に折り曲げ自在に接続されていたが、右側面上方折り曲げシートは底面シートの右側縁とは分離され、右側面第一後方折り曲げシートの下縁に折り曲げ自在に接続されたものであっても良い。
【００８６】
更に、上述した各実施の形態では、収容箱は主に紙からなるものであったが、紙の表面に樹脂層、印刷層やアルミニウム等の金属層等を形成しても良いし、紙以外の素材からなるものであっても良い。
【００８７】
更に、上述した各実施の形態において、収容箱の正面下方折り曲げシート（残存部分）の先端に刃を備え、最初の使用時に除去部分を切り取ることで刃先が露出するように構成しても良い。このようにすると、収容物が食品包装用ラップフィルムやアルミホイル箔といった巻筒体である場合には刃によって所望の大きさでカットすることができる。
【００８８】
更に、上述した各実施の形態では、係止部が特定形状の外方突出片であったが、部分的に突き出たものであって被係止部と係止することにより収容箱の閉状態における係止状態を生じさせることができるものであれば良く、例えば突起状や板状のもの、特定縁や面の凹凸により形成された突出部分、接着剤等により特定縁や面に接続され外方に突出するもの等であっても良い。
【００８９】
更に、上述した各実施の形態では、被係止部が特定部分であったが、係止部が係止することのできるものであれば他の形態の部分であっても良い。例えば、右側面下方折り曲げシートの閉状態における係止部に対応する位置及び形状に形成された貫通孔であっても良い。
【００９０】
更に、上述した各実施の形態では、フラップが形成されており係止部は右側面上方折り曲げシートのミシン目である上部折り曲げ線の一部に接続されていたが、フラップが形成されていなくとも良く、フラップが存在しない場合には係止部は右側面上方折り曲げシートの上縁の一部に接続されていれば良い。
【００９１】
更に、上述した第２の実施の形態にあっては、係止部は右側面上方折り曲げシートの上縁の平面視中央に位置するものであったが、上述した第１の実施の形態と同様に係止部が右側面上方折り曲げシートの上縁（上部折り曲げ線）の平面視中央よりも前方に位置するものであっても良い。このように構成することで、収容箱が閉状態から開状態に移行する際に係止状態が解除されるために必要な力が、係止部が平面視中央に位置する場合や右側面上方折り曲げシートの上縁がその下縁と平行である場合に比して大きくなるため、係止状態の安定性が更に向上する。
【００９２】
更に、上述した第２の実施の形態にあっては、係止部は右側面上方折り曲げシートの上縁の平面視中央に位置するものであったが、中央よりも後方にあってもＬ３＞Ｌ１となる位置関係であれば良い。
【００９３】
更に、上述した第２又は第３の実施の形態にあっては、右側面下方折り曲げシートの上縁が水平（その下縁と平行）であったが、右側面上方折り曲げシートの上縁の前傾形状に対応して、右側面下方折り曲げシートをその上縁が背面部側から正面部側に向かって下方に傾斜する（前傾する）ように構成しても良い。この場合も、係止部及び右側面第二後方折り曲げシートが前傾していることは上述した第２又は第３の実施の形態と同様であるため、係止状態が解除されるために必要な力が、係止部が水平に位置する場合に比して大きくなる。そのため、係止状態の安定性が向上する。又、収容箱の正面下方折り曲げシート（残存部分）の先端に刃を備え、収容物である薄膜体を引き出して刃先で切断して使用する場合には、上記のように構成することで刃先が薄膜体により密着するようになり、使用勝手が向上する。
【００９４】
更に、上述した各実施の形態では、右側面第二後方折り曲げシートを有していたが、右側面第二後方折り曲げシートがなくとも良い。
【産業上の利用可能性】
【００９５】
以上のように、本発明に係る収容箱は、例えば、アルミホイル等のシート体を巻き取った巻回物等を収容するのに適している。
【図１】
2018168892.tif 000003
【図２】
2018168892.tif 000004
【図３】
2018168892.tif 000005
【図４】
2018168892.tif 000006
【図５】
2018168892.tif 000007
【図６】
2018168892.tif 000008
【図７】
2018168892.tif 000009
【図８】
2018168892.tif 000010
【国際調査報告】
2018168892.tif 000011
2018168892.tif 000012
2018168892.tif 000013
2018168892.tif 000014